(57)【要約】  【課題】モータープロテクターの正確な動作が得られ、また騒音低減効果が得られ、さらに生産性が高い電動圧縮機の保護装置を提供するものである。  【解決手段】電動圧縮機を駆動するモーターを過熱から保護するモータープロテクター１０５を電動圧縮機の密閉容器１０１の外側に形成した平面部１０４に粘着性材１０９を介して粘着させたもので、密閉容器１０１とモータープロテクター１０５の間の隙間を無くし、また粘着性材１０９により防振効果が得られ、さらに組立作業が容易になるものである。【選択図】図２
2007255246.tif 000002
【特許請求の範囲】
【請求項１】
電動圧縮機を駆動するモーターを過熱から保護するモータープロテクターを電動圧縮機の密閉容器の外側に粘着性材を介して粘着させた電動圧縮機の保護装置。
【請求項２】
モータープロテクターは平坦面部を備え、前記平坦面部を密閉容器の外側に形成した平面部に粘着性材を介して粘着させた請求項１に記載の電動圧縮機の保護装置。
【請求項３】
モータープロテクターの本体部は略円筒形をなす請求項２に記載の電動圧縮機の保護装置。
【請求項４】
モータープロテクターの外周をガイドするガイド部を有するブラケットを平面部に固着した請求項２または３に記載の電動圧縮機の保護装置。
【請求項５】
密閉容器の外側に形成した平面部にはさらにハーメチックターミナルが固着されている請求項２に記載の電動圧縮機の保護装置。
【発明の詳細な説明】
【技術分野】
【０００１】
本発明は電動圧縮機（以下圧縮機という）の保護装置の装着固定の改良に関するものである。
【背景技術】
【０００２】
従来、電動圧縮機の保護装置は密閉容器内外を電気的に連絡させるハーメチックターミナルにモーター保護装置をブラケットにスプリングクリップで装着したものが一般的である（例えば、特許文献１参照）。
【０００３】
以下、図面を参照しながら上記従来の圧縮機を説明する。
【０００４】
図７は従来の電動圧縮機の側面図、図８は図７のＨ−Ｈ矢視図、図９は従来のモーター保護装置の拡大図、図１０は従来のスプリングクリップの側面図、図１１は従来のスプリングクリップの拡大側面図である。
【０００５】
図７から図１１において、圧縮機本体を形成する密閉容器１には、電動要素（図示せず）と、この電動要素より駆動される圧縮要素（図示せず）とが、複数のスプリング（図示せず）によって弾性的に保持されている。
【０００６】
密閉容器１は、密閉容器１内外を電気的に連絡するハーメチックターミナル２と電装品カバー（図示せず）を固定する密閉容器１の外側に溶接固定したブラケット３を備えている。ブラケット３には断面がクランク状の取り付け部３ａが折曲形成されている。
【０００７】
略円筒形のモータープロテクター４は本体部５とフランジ部６で形成されており本体の内部には密閉容器１の温度や電流を感知して動作するよう、ヒーター（図示せず）とバイメタル（図示せず）を内蔵している。
【０００８】
モータープロテクター４を固着させるスプリングクリップ７はモータープロテクター４の本体部５の外径とほぼ同じ内径寸法の円弧を有する内側部８と、両サイドに延出形成されたアーム部９と、アーム部９の先端に上下左右に膨出するように形成された固着部１０から構成され、バネ性のあるピアノ線から形成されている。
【０００９】
以上のような構成において、本体部５をスプリングクリップ７の内側部８に挿入し、ブラケット３に備えた取り付け部３ａにスプリングクリップ７の固着部１０を挿入することでスプリングクリップ７の弾性力によってモータープロテクター４は密閉容器１に押圧される。
【特許文献１】実開昭５７−５２０４３号公報
【発明の開示】
【発明が解決しようとする課題】
【００１０】
しかしながら、上記従来の構成では、スプリングクリップ７が外力で変形するとスプリングクリップ７の弾性力が得られず、モータープロテクター４と密閉容器１との間に隙間が出来ることがあり、モータープロテクターへの熱伝達が不安定となりモータープロテクターの正確な動作が得られない可能性が有った。
【００１１】
一方、モータープロテクター４と密閉容器１との間に僅かな隙間がある時はモータープロテクター４と密閉容器１との間で当り音が出る可能性があった。
【００１２】
また、通常、モータープロテクター４は密閉容器４に形成した平面部（図示せず）に取り付けるが、通常、密閉容器４に形成した平面部は剛性が落ち、内部からの音が伝達しやすい。そしてモータープロテクター４の接触状態によっては伝達音が変動する可能性が有る。
【００１３】
さらにスプリングクリップ７とモータープロテクター４は別々の部品であり組立作業の工数を増やしていた。又、装着固定させるためスプリングクリップ７の固着部１０の形状が複雑で生産性が悪くコストが高いという課題を有していた。
【００１４】
本発明は上記従来の課題を解決するもので、モータープロテクターの正確な動作が得られるとともに、騒音低減効果が得られ、かつ生産性の高い電動圧縮機の保護装置を提供することを目的とする。
【課題を解決するための手段】
【００１５】
上記従来の課題を解決するために、電動圧縮機を駆動するモーターを過熱から保護するモータープロテクターを電動圧縮機の密閉容器の外側に粘着性材を介して粘着させたもので、密閉容器とモータープロテクターの間の隙間を無くし、また粘着性材により防振効果が得られ、さらに組立作業が容易になるといった作用を有する。
【発明の効果】
【００１６】
本発明の電動圧縮機の保護装置は、密閉容器とモータープロテクターの間の隙間を無くすことでモータープロテクターの正確な動作が得られ、また粘着性材の防振効果によって騒音低減効果が得られ、さらに組立作業が容易なため生産性が高い電動圧縮機の保護装置を提供することができる。
【発明を実施するための最良の形態】
【００１７】
請求項１に記載の発明は、電動圧縮機を駆動するモーターを過熱から保護するモータープロテクターを電動圧縮機の密閉容器の外側に粘着性材を介して粘着させることで、密閉容器の熱伝達が良好、隙間が出来にくいのでモータープロテクターへの熱伝達が安定するのでモータープロテクターの正確な動作が得られ、また、鳴きやすい密閉容器の平面部に粘着性材を介して密着したモータープロテクターがダンパーの役を果たすことで騒音が低減でき、また予め粘着性材をモータープロテクターか密閉容器に張っておけばモータープロテクターを密閉容器に押圧するだけでモータープロテクターを装着固定できるので生産性が高い。
【００１８】
請求項２に記載の発明は、請求項１に記載の発明に、さらにモータープロテクターは平坦面部を備え、前記平坦面部を密閉容器の外側に形成した平面部に粘着性材を介して粘着させたもので、平面部同士が粘着性材を介して密着することでより密閉容器の熱伝達が良好となりまた隙間が出来にくいのでさらにモータープロテクターの正確な動作が得られ、またダンパー効果が増すので更に騒音低減効果が増す。
【００１９】
請求項３に記載の発明は、請求項２に記載の発明に、さらにモータープロテクターの本体部は略円筒形をなすもので、モータープロテクターの本体部が略円筒形なので取り付け方向に自由度ができ、さらに組み付け作業時の生産性が向上する。
【００２０】
請求項４に記載の発明は、請求項２または３に記載の発明に、さらにモータープロテクターの外周をガイドするガイド部を有するブラケットを平面部に固着したもので、モータープロテクターの取り付け位置が規制され、精度の高い組み付けが可能となる。
【００２１】
請求項５に記載の発明は、請求項２に記載の発明に、密閉容器の外側に形成した平面部にはさらにハーメチックターミナルが固着されているもので、ハーメチックターミナルがダンパーの役を果たすことで更に平面部の剛性が低くなりシェルの鳴きを防ぎ、騒音低減できる。
【００２２】
（実施の形態１）
図１は本発明の実施の形態１における密閉型電動圧縮機の保護装置の側面図、図２は同実施の形態のモータープロテクター装着固定後の要部拡大Ａ−Ａ矢視図、図３は同実施の形態のモータープロテクターの要部拡大図、図４は図３におけるモータープロテクターのＢ矢視図、図５は図２におけるブラケットの要部拡大図、図６は同実施の形態の粘着性材の要部拡大図である。
【００２３】
以下、図１から図６に基づいて、本発明の実施の形態について説明する。
【００２４】
図１から図６において、圧縮機本体を形成する密閉容器１０１には、電動要素（図示せず）と、この電動要素より駆動される圧縮要素（図示せず）とが、複数のスプリング（図示せず）によって弾性的に保持されている。
【００２５】
密閉容器１０１には、平面部１０４が形成され、この平面部１０４に密閉容器１０１内外を電気的に連絡するハーメチックターミナル１０２を機密に固着するとともに、電装品カバー（図示せず）を固定するためのブラケット１０３を溶接固定している。
【００２６】
モータープロテクター１０５は、内部に密閉容器１０１の温度や電流を感知して動作するよう、ヒーター（図示せず）とバイメタル（図示せず）を内蔵した略円筒形の本体部１０６を備え、本体部１０６の平面部１０４と接する平坦面部１０７は平面に形成されている。
【００２７】
ブラケット１０３は薄板部材を略コの字状に折曲形成し、ハーメチックターミナル１０２を囲うように配設されている。ブラケット１０３にはさらに、モータープロテクター１０５の本体部１０６に対応した、円筒状に切り起こされたガイド部１０８がプレス形成されている。
【００２８】
粘着性材１０９は、モータープロテクター１０５の本体部１０６より小さく形成した円形状で粘着性や熱伝達性のある材料で形成されている。具体的には、イソブチレン−イソプレンゴムを材料として両面に粘着性を有したシート状のブチルラバーから形成される。
【００２９】
以上のように構成された圧縮機について、以下にその動作、作用を説明する。
【００３０】
モータープロテクター１０５の平坦面部１０７か密閉容器１０１の平面部１０４に粘着性材１０９を貼り付け、ブラケット１０３のガイド部１０８にモータープロテクター１０５の本体部１０６を挿入し、モータープロテクター１０５を密閉容器１０１の平面部１０４に押圧することで、モータープロテクター１０５は密閉容器１０１に固着される。
【００３１】
ここで、予め粘着性材１０９をモータープロテクター１０５か密閉容器１０１に貼っておけば、スプリングクリップ等の部品が不要で、モータープロテクター１０５を密閉容器１０１に押圧するだけでモータープロテクター１０５を密閉容器１０１に装着固定できるので、極めて生産性が高い。
【００３２】
次に圧縮機が運転状態にある時について説明する。
【００３３】
電動要素に電力が供給され圧縮要素が駆動される。この際、電動要素に過大な負荷が生じた場合、電動要素の温度が上昇する。この電動要素の温度上昇は密閉容器１０１の平面部１０４を介してモータープロテクター１０５へと伝わる。この際、モータープロテクター１０５は粘着性材１０９を介して平面部１０４と密着しているため平面部１０４からモータープロテクター１０５への熱伝導性は良好であり安定するので、その結果、モータープロテクター１０５は正確に所定温度で動作するため、正確な電動要素の温度上昇保護を行うことができる。
【００３４】
一方、モータープロテクター１０５は粘着性材１０９を介して平面部１０４と密着しているためモータープロテクター１０５と密閉容器１０１との間に隙間ができないので、モータープロテクター１０５と密閉容器１０１との間で当り音が出ることは無い。
【００３５】
また、密閉容器１０１の平面部１０４は剛性が低く鳴きやすいが、粘着性材１０９を介して平面部１０４と密着しているモータープロテクター１０５がダンパーの役を果たすため、平面部１０４の鳴きを抑えることで騒音を低減することができる。
【００３６】
さらに本実施の形態においては密閉容器１０１の外側に形成した平面部１０４にはさらにハーメチックターミナル１０２およびブラケット１０３が固着されているもので、ハーメチックターミナル１０２およびブラケット１０３がダンパーの役を果たすことで更に平面部１０４の剛性の鳴きを防ぎ、騒音を低減することができる。
【産業上の利用可能性】
【００３７】
以上のように、本発明にかかる電動圧縮機の保護装置は、モータープロテクターの正確な動作が得られ、また騒音低減効果が得られ、さらに生産性が高い電動圧縮機の保護装置を提供することができるので、自販機、冷凍ショーケース、除湿機などの用途にも適用できる。
【図面の簡単な説明】
【００３８】
【図１】本発明の実施の形態１における電動圧縮機の保護装置の側面図
【図２】同実施の形態のモータープロテクター装着固定後の要部拡大Ａ−Ａ矢視図
【図３】同実施の形態のモータープロテクターの要部拡大図
【図４】図３におけるモータープロテクターのＢ矢視図
【図５】図２におけるブラケットの要部拡大図
【図６】同実施の形態の粘着性材の要部拡大図
【図７】従来の電動圧縮機の側面図
【図８】図７のＨ−Ｈ矢視図
【図９】従来のモーター保護装置の拡大図
【図１０】従来のスプリングクリップの側面図
【図１１】従来のスプリングクリップの拡大側面図
【符号の説明】
【００３９】
１０１  密閉容器
１０２  ハーメチックターミナル
１０３  ブラケット
１０４  平面部
１０５  モータープロテクター
１０６  本体部
１０７  平坦面部
１０８  ガイド部
１０９  粘着性材
【図１】
2007255246.tif 000003
【図２】
2007255246.tif 000004
【図３】
2007255246.tif 000005
【図４】
2007255246.tif 000006
【図５】
2007255246.tif 000007
【図６】
2007255246.tif 000008
【図７】
2007255246.tif 000009
【図８】
2007255246.tif 000010
【図９】
2007255246.tif 000011
【図１０】
2007255246.tif 000012
【図１１】
2007255246.tif 000013